【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
第１のネットワークのネットワークトラフィックを監視することと、
前記第１のネットワークに関連するネットワークイベントを検出することと、
第２のネットワークのサーバに前記ネットワークイベントを報告することと、
前記サーバから前記第１のネットワークのためのネットワークポリシー更新を受信することであって、前記ネットワークポリシー更新が、前記サーバに報告された前記ネットワークイベントのイベントタイプに少なくとも部分的に基づく、受信することと、
前記第１のネットワークにおいて前記ネットワークポリシー更新を実装することとを備える方法。
【請求項２】
前記監視することと、前記検出することと、前記報告することと、前記受信することと、前記実装することとが、前記第１のネットワークの管理ノードによって実行される、請求項１に記載の方法。
【請求項３】
前記管理ノードが前記第１のネットワークのルータを備える、請求項２に記載の方法。
【請求項４】
前記管理ノードが、前記第１のネットワークのルータと、アクセスポイントと、ケーブルモデムと、ネットワークスイッチとから成るグループのうちの少なくとも１メンバを含むコンピュータシステムを備える、請求項２に記載の方法。
【請求項５】
前記第１のネットワークに関連する前記ネットワークイベントを前記検出することが、前記第１のネットワークにおいてオーバーサブスクリプションイベントを検出することと、前記第１のネットワークにおいて未知のパケットストリームを検出することと、前記第１のネットワークにおいてネットワーク障害イベントを検出することと、から成るグループのうちの少なくとも１メンバを備える、請求項１に記載の方法。
【請求項６】
前記ネットワークポリシー更新を前記実装することが、前記ネットワークイベントを処理し、解決するために前記第１のネットワークの管理ノードを構成した後に前記ネットワークポリシー更新を実装することを備える、請求項１に記載の方法。
【請求項７】
前記ネットワークトラフィックを前記監視することが、前記第１のネットワークの複数のデバイスからワイドエリアネットワークに送られた前記ネットワークトラフィックを監視することと、前記ワイドエリアネットワークのリモートネットワークノードから前記第１のネットワークの前記複数のデバイスに送られた前記ネットワークトラフィックを監視することとを備える、請求項１に記載の方法。
【請求項８】
前記ネットワークポリシー更新が、前記イベントタイプおよび第３のネットワークからの前記第２のネットワークにおいて収集された前記イベントタイプに関連するアグリゲートデータの分析に少なくとも部分的に基づき、ここで、前記第１のネットワークおよび前記第３のネットワークは、ローカルエリアネットワークである、請求項１に記載の方法。
【請求項９】
前記第１のネットワークに関連するネットワークアクティビティを検出することと、
前記サーバに、前記ネットワークアクティビティを報告することと、
前記第２のネットワークから前記第１のネットワークにおいてネットワークアラートを受信することと
をさらに備える、請求項１に記載の方法。
【請求項１０】
第１のネットワークの管理ノードにおいて未知のパケットストリームを検出することと、
前記未知のパケットストリームのためのデフォルト分類を選択することと、
前記管理ノードから第２のネットワークのサーバに、前記未知のパケットストリームに関連する情報を報告することと、
前記第２のネットワークから前記未知のパケットストリームのためのポリシー更新を前記管理ノードにおいて受信することであって、前記ポリシー更新は、前記未知のパケットストリームの後でのインスタンスをどのように検出および分類するのかを示す、受信することと、
前記管理ノードにおいて前記ポリシー更新を実装することと
を備える方法。
【請求項１１】
前記管理ノードにおいて検出されたパケットストリームに関連するパケットストリーム特性を検出することと、
前記パケットストリーム特性に少なくとも部分的に基づいて前記パケットストリームに関連するアプリケーションを判断することと、
前記アプリケーションに少なくとも部分的に基づいて前記パケットストリームを分類することと
をさらに備える、請求項１０に記載の方法。
【請求項１２】
前記パケットストリームを前記分類することが、前記アプリケーションのアプリケーションタイプに少なくとも部分的に基づく、請求項１１に記載の方法。
【請求項１３】
前記未知のパケットストリームを前記検出することと、前記デフォルト分類を前記選択することとは、
前記未知のパケットストリームに関連するアプリケーションが前記管理ノードにとって未知であると判断することと、
前記アプリケーションが未知であると判断したことに応答して前記未知のパケットストリームのための前記デフォルト分類を選択することと
を備える、請求項１０に記載の方法。
【請求項１４】
前記管理ノードにおいて前記未知のパケットストリームを前記検出することと、前記デフォルト分類を前記選択することとは、
前記未知のパケットストリームに関連するアプリケーションが前記管理ノードにとって未知であると判断することと、
前記未知のパケットストリームに関連するアプリケーションタイプを判断することと、
前記アプリケーションタイプに少なくとも部分的に基づいて前記未知のパケットストリームのための前記デフォルト分類を選択することと
を備える、請求項１０に記載の方法。
【請求項１５】
前記情報を前記報告することが、前記未知のパケットストリームに関連する少なくとも１つのパケットストリーム特性を報告することを備える、請求項１０に記載の方法。
【請求項１６】
前記未知のパケットストリームに関連するアプリケーションと、前記未知のパケットストリームの分類とを示す分類情報を受信することをさらに備える、請求項１０に記載の方法。
【請求項１７】
前記管理ノードにおいて前記ポリシー更新を前記実装することが、
前記ポリシー更新に従って前に未知であったパケットストリームに関連するパケットストリーム特性を前記管理ノードにおいて検出することと、
前記ポリシー更新に従って前記パケットストリーム特性に関連するアプリケーションを判断することと、
前記アプリケーションに基づいて前記前に未知であったパケットストリームのための分類を選択することと
を備える、請求項１０に記載の方法。
【請求項１８】
第２のネットワークの第１のルータから、前記第１のルータにおいて検出された第１のネットワークイベントを示す報告メッセージを第１のネットワークのサーバにおいて受信することと、
前記第１のネットワークイベントのイベントタイプを判断することと、
前記イベントタイプに関連するデータを、前記イベントタイプの第２のネットワークイベントを検出した第２のルータからの前に受信されたデータとアグリゲートすることと、
前記アグリゲートされたデータを分析することと、
前記アグリゲートされたデータを分析した結果に基づいて前記イベントタイプに関連するネットワークポリシー更新を判断することと、
前記ネットワークポリシー更新で前記第１のルータを構成するために前記第１のルータに前記ネットワークポリシー更新を送ることとを備える方法。
【請求項１９】
前記イベントタイプを前記判断することは、前記イベントタイプが、前記第２のネットワークにおけるオーバーサブスクリプションイベントと、前記第１のルータにおける未知のパケットストリームの検出と、前記第１のルータからのネットワーク分析報告の受信と、前記第２のネットワークにおけるネットワーク障害イベントの検出と、から成るグループのうちの少なくとも１メンバであると判断することを備える、請求項１８に記載の方法。
【請求項２０】
前記アグリゲートされたデータを分析した前記結果に少なくとも部分的に基づいて前記第１のルータにおいて前記イベントタイプに関連するコンテンツの一時記憶を要求することをさらに備える、請求項１８に記載の方法。
【請求項２１】
前記ネットワークポリシー更新が、前記第１のルータにおいて検出された前記イベントタイプのネットワークイベントを処理および解決するための動作を示す、請求項１８に記載の方法。
【請求項２２】
ネットワークルータであって、
プロセッサと、
命令を記憶するように構成されたメモリユニットであって、前記命令は、前記プロセッサによって実行されたとき、
第１のネットワークのネットワークトラフィックを監視することと、
前記第１のネットワークに関連するネットワークイベントを検出することと、
第２のネットワークのサーバに前記ネットワークイベントを報告することと、
前記サーバから前記ネットワークルータのためのネットワークポリシー更新を受信することであって、前記ネットワークポリシー更新が、前記ネットワークイベントのイベントタイプに少なくとも部分的に基づく、受信することと、
前記ネットワークルータにおいて前記ネットワークポリシー更新を実装することと
を前記ネットワークルータに実行させる、ユニットとを備えるネットワークルータ。
【請求項２３】
前記ネットワークイベントが、前記第１のネットワークにおけるオーバーサブスクリプションイベントと、前記ネットワークルータにおいて受信された未知のパケットストリームと、前記第１のネットワークにおけるネットワーク障害イベントとから成るグループのうちの少なくとも１メンバを備える、請求項２２に記載のネットワークルータ。
【請求項２４】
前記プロセッサによって実行される前記命令が、前記ネットワークルータを構成した後に前記ネットワークポリシー更新を実装することによって前記ネットワークイベントを処理および解決することを前記ネットワークルータにさらに実行させる、請求項２２に記載のネットワークルータ。
【請求項２５】
前記プロセッサによって実行される前記命令が、
前記第１のネットワークに関連するネットワークアクティビティを検出することと、
前記サーバに、前記ネットワークアクティビティを報告することと、
前記第２のネットワークからネットワークアラートを受信することと
を前記ネットワークルータにさらに実行させる、請求項２２に記載のネットワークルータ。
【請求項２６】
ネットワークルータであって、
プロセッサと、
前記プロセッサに結合されたネットワーク監視ユニットであって、
第１のネットワークの前記ネットワークルータにおいて受信された未知のパケットストリームを検出することと、
前記未知のパケットストリームのためのデフォルト分類を選択することと、
第２のネットワークのサーバに、前記未知のパケットストリームに関連する情報を報告することと、
前記未知のパケットストリームのためのポリシー更新を前記第２のネットワークから受信することであって、前記ポリシー更新は、前記未知のパケットストリームの後でのインスタンスをどのように検出および分類するのかを示す、受信することと、
前記ネットワークルータにおいて前記ポリシー更新を実装することと
を行うように構成されたネットワーク監視ユニットと
を備えるネットワークルータ。
【請求項２７】
前記ネットワーク監視ユニットが、
前記ネットワークルータにおいて検出されたパケットストリームに関連するパケットストリーム特性を検出することと、
前記パケットストリーム特性に少なくとも部分的に基づいて前記パケットストリームに関連するアプリケーションを判断することと、
前記アプリケーションに少なくとも部分的に基づいて前記パケットストリームを分類することと
を行うようにさらに構成された、請求項２６に記載のネットワークルータ。
【請求項２８】
前記ネットワーク監視ユニットが、前記アプリケーションに関連するアプリケーションタイプに少なくとも部分的に基づいて前記パケットストリームを分類するように構成された、請求項２７に記載のネットワークルータ。
【請求項２９】
前記未知のパケットストリームを検出することと、前記デフォルト分類を選択することとを行うように構成された前記ネットワーク監視ユニットは、
前記未知のパケットストリームに関連するアプリケーションが前記ネットワークルータにとって未知であると判断することと、
前記アプリケーションが未知であると判断したことに応答して前記未知のパケットストリームのための前記デフォルト分類を選択することと
を行うように構成された前記ネットワーク監視ユニットを備える、請求項２６に記載のネットワークルータ。
【請求項３０】
前記未知のパケットストリームを検出することと、前記デフォルト分類を選択することとを行うように構成された前記ネットワーク監視ユニットは、
前記未知のパケットストリームに関連するアプリケーションが前記ネットワークルータにとって未知であると判断することと、
前記未知のパケットストリームに関連するアプリケーションタイプを判断することと、
前記アプリケーションタイプに基づいて前記未知のパケットストリームのための前記デフォルト分類を選択することとを行うように構成された前記ネットワーク監視ユニットを備える、請求項２６に記載のネットワークルータ。
【請求項３１】
前記情報を報告するように構成された前記ネットワーク監視ユニットが、前記未知のパケットストリームに関連する少なくとも１つのパケットストリーム特性を報告するように構成された前記ネットワーク監視ユニットを備える、請求項２６に記載のネットワークルータ。
【請求項３２】
前記ポリシー更新を実装するように構成された前記ネットワーク監視ユニットが、
前記ポリシー更新に従って前に未知であったパケットストリームに関連するパケットストリーム特性を検出することと、
前記ポリシー更新に従って前記パケットストリーム特性に関連するアプリケーションを判断することと、
前記アプリケーションに基づいて前記前に未知であったパケットストリームのための分類を選択することと
を行うように構成された前記ネットワーク監視ユニットを備える、請求項２６に記載のネットワークルータ。
【請求項３３】
命令を記憶した非一時的な機械可読記憶媒体であって、前記命令が、プロセッサによって実行されたとき、
第１のネットワークにおいて未知のパケットストリームを検出することと、
前記未知のパケットストリームのためのデフォルト分類を選択することと、
第２のネットワークのサーバに、前記未知のパケットストリームに関連する情報を報告することと、
前記第２のネットワークから前記未知のパケットストリームのためのポリシー更新を受信することであって、前記ポリシー更新は、前記未知のパケットストリームの後でのインスタンスをどのように検出および分類するのかを示す、受信することと、
前記ポリシー更新を実装することと
を前記プロセッサに実行させる、非一時的な機械可読記憶媒体。
【請求項３４】
前記プロセッサによって実行されるとき、前記命令はさらに、前記第１のネットワークにおいて検出されたパケットストリームを分類するためのものであり、
前記パケットストリームを前記分類することは、前記パケットストリームに関連するアプリケーションと、前記アプリケーションに関連するアプリケーションタイプとから成るグループのうちの少なくとも１メンバに基づく、請求項３３に記載の非一時的な機械可読記憶媒体。
【請求項３５】
前記未知のパケットストリームを検出することと、前記デフォルト分類を選択することとのために前記プロセッサによって実行されるとき、前記命令はさらに、
前記未知のパケットストリームに関連するアプリケーションが未知であると判断することと、
前記アプリケーションが未知であると判断したことに応答して前記未知のパケットストリームのための前記デフォルト分類を選択することと
のためのものである、請求項３３に記載の非一時的な機械可読記憶媒体。
【請求項３６】
前記未知のパケットストリームを検出することと、前記デフォルト分類を選択することとのために前記プロセッサによって実行されるとき、前記命令はさらに、
前記第１のネットワークにおいて受信された前記未知のパケットストリームに関連するアプリケーションが未知であると判断することと、
前記未知のパケットストリームに関連するアプリケーションタイプを判断することと、
前記アプリケーションタイプに基づいて前記未知のパケットストリームのための前記デフォルト分類を選択することと
のためのものである、請求項３３に記載の非一時的な機械可読記憶媒体。